【手続補正書】
【提出日】平成29年2月24日(2017.2.24)
【手続補正１】
【補正対象書類名】特許請求の範囲
【補正対象項目名】全文
【補正方法】変更
【補正の内容】
【特許請求の範囲】
【請求項１】
方法であって、
１つまたは複数のコンピューティング・デバイスが、Ｎ個の電子メディア・コンテンツ・アイテムにアクセスすること、
１つまたは複数のコンピューティング・デバイスが、複数のメディア・コンテンツ・テンプレートにアクセスすること、ここで、複数のメディア・コンテンツ・テンプレートのそれぞれが所定数のメディア・コンテンツ・アイテム用の所定数の表面領域を含んでおり、
１つまたは複数のコンピューティング・デバイスが、１つまたは複数の特徴に基づいて、該複数のメディア・コンテンツ・テンプレートのうちの１つまたは複数のメディア・コンテンツ・テンプレートのそれぞれについて、該メディア・コンテンツ・テンプレートにおけるＸ個の電子メディア・コンテンツ・アイテムの配置を得点付けすること、ここで、Ｘ個は、Ｎ個と、該メディア・コンテンツ・テンプレートの表面領域の該所定数とのうち少ないほうに等しく、特徴は、
得点付けされる前記メディア・コンテンツ・テンプレートの２つ以上の表面領域の面積の差異、
得点付けされる前記メディア・コンテンツ・テンプレートと、得点付けされる前記メディア・コンテンツ・テンプレートの付近に表示される１つ以上の他のメディア・コンテンツ・テンプレートとの間の相違、
前記Ｘ個の電子メディア・コンテンツ・アイテムがアクセスされた順序、
メディア・コンテンツ・アイテムのユーザまたはプロバイダに対するメディア・コンテンツの少なくとも１つのインスタンスの重要性のうちの１つまたは複数を含み、
１つまたは複数のコンピューティング・デバイスが、最高得点を有するメディア・コンテンツ・テンプレートを選択すること、
１つまたは複数のコンピューティング・デバイスが、ユーザに対して表示するために、該選択されたメディア・コンテンツ・テンプレートに該Ｘ個の電子メディア・コンテンツ・アイテムを準備すること
を含む方法。
【請求項２】
前記Ｘ個の電子メディア・コンテンツ・アイテムが、前記Ｎ個の電子メディア・コンテンツ・アイテムからアクセスされた最初のＸ個の電子メディア・コンテンツ・アイテムを含む、請求項１に記載の方法。
【請求項３】
前記Ｎ個の電子メディア・コンテンツ・アイテムが年代順に配置される、請求項２に記載の方法。
【請求項４】
前記１つまたは複数の特徴が、
前記Ｘ個の電子メディア・コンテンツ・アイテムのうちの１つの電子メディア・コンテンツ・アイテムのアスペクト比、
前記Ｘ個の電子メディア・コンテンツ・アイテムのうちの１つの電子メディア・コンテンツ・アイテムのサイズ、
得点付けされる前記メディア・コンテンツ・テンプレートの表面領域の数、
得点付けされる前記メディア・コンテンツ・テンプレートの２つ以上の該表面領域の面積の差異、
得点付けされる前記メディア・コンテンツ・テンプレートと、得点付けされる前記メディア・コンテンツ・テンプレートの付近に表示される１つまたは複数の他のメディア・コンテンツ・テンプレートとの相違、
前記Ｘ個の電子メディア・コンテンツ・アイテムがアクセスされた順序、
前記Ｘ個の電子メディア・コンテンツ・アイテムのうちの少なくとも１つによって表される内容
のうちの１つまたは複数を含む、請求項１に記載の方法。
【請求項５】
特徴が、前記Ｘ個のメディア・コンテンツ・アイテムのうちの少なくとも１つのメディア・コンテンツ・アイテムの、
色、
形状、
人間の特徴の存在
のうちの１つまたは複数からなる属性である、請求項１に記載の方法。
【請求項６】
特徴が、メディア・コンテンツ・アイテムの前記ユーザまたはプロバイダに対するメディア・コンテンツの少なくとも１つのインスタンスの重要性である、請求項１に記載の方法。
【請求項７】
前記重要性が、ソーシャル・ネットワーキング・システムに関連する情報に、少なくとも部分的に基づいて決定され、該ソーシャル・ネットワーキング・システムが、複数のノードと該ノードを接続するエッジとを含むグラフを有し、少なくとも１つのノードが、前記メディア・コンテンツの前記ユーザまたは前記プロバイダと対応している、請求項６に記載の方法。
【請求項８】
前記重要性が、
前記ソーシャル・ネットワーキング・システムに関連する情報を基に行われる係数決定、
前記ソーシャル・ネットワーキング・システムに関連する情報を基に行われる親和性決定
のうちの１つまたは複数に、少なくとも部分的に基づいて決定される、請求項７に記載の方法。
【請求項９】
前記特徴のうちの少なくとも１つが、前記メディア・コンテンツ・テンプレートが表示されるコンテキストを含む、請求項１に記載の方法。
【請求項１０】
得点付けすることが、前記特徴のうちの１つまたは複数に基づいて、前記表面領域のうちの１つの表面領域の面積を、他の表面領域のうちの少なくとも１つに対して調整することを含む、請求項１に記載の方法。
【請求項１１】
前記得点付けすることが、前記ユーザからの入力によって少なくとも部分的に決定される、請求項１に記載の方法。
【請求項１２】
前記複数のメディア・コンテンツ・テンプレートのうちの少なくとも１つのメディア・コンテンツ・テンプレートの前記表面領域のうちの少なくとも１つが、前記電子メディア・コンテンツ・アイテムのうちの１つについて、その電子メディア・コンテンツ・アイテムの属性に基づいて予め定められる、請求項１に記載の方法。
【請求項１３】
前記属性が、
前記ユーザにとっての、前記電子メディア・コンテンツ・アイテムの重要性、
前記電子メディア・コンテンツ・アイテムがアクセスされる順序、
前記電子メディア・コンテンツ・アイテムに関連するか、または前記電子メディア・コンテンツ・アイテムによって表される事象に関連する時刻
のうちの１つまたは複数を含む、請求項１２に記載の方法。
【請求項１４】
動作可能なソフトウェアを実装する１つまたは複数のコンピュータ読取り可能な非一時的記憶媒体であって、前記ソフトウェアは、実行時に
Ｎ個の電子メディア・コンテンツ・アイテムにアクセスし、
複数のメディア・コンテンツ・テンプレートにアクセスし、ここで、該複数のメディア・コンテンツ・テンプレートのそれぞれが所定数のメディア・コンテンツ・アイテム用の所定数の表面領域を含んでおり、
１つまたは複数の特徴に基づいて、該複数のメディア・コンテンツ・テンプレートのうちの１つまたは複数のメディア・コンテンツ・テンプレートのそれぞれについて、該メディア・コンテンツ・テンプレートのＸ個の電子メディア・コンテンツ・アイテムの配置を得点付けし、ここで、Ｘ個は、Ｎ個と、該メディア・コンテンツ・テンプレートの表面領域の該所定数とのうち少ないほうに等しく、特徴は、
得点付けされる前記メディア・コンテンツ・テンプレートの２つ以上の表面領域の面積の差異、
得点付けされる前記メディア・コンテンツ・テンプレートと、得点付けされる前記メディア・コンテンツ・テンプレートの付近に表示される１つ以上の他のメディア・コンテンツ・テンプレートとの間の相違、
前記Ｘ個の電子メディア・コンテンツ・アイテムがアクセスされた順序、
メディア・コンテンツ・アイテムのユーザまたはプロバイダに対するメディア・コンテンツの少なくとも１つのインスタンスの重要性のうちの１つまたは複数を含み、
最高得点を有するメディア・コンテンツ・テンプレートを選択し、
ユーザに対して表示するために、該選択されたメディア・コンテンツ・テンプレート内に該Ｘ個の電子メディア・コンテンツ・アイテムを準備するように動作可能である、１つまたは複数のコンピュータ読取り可能な非一時的記憶媒体。
【請求項１５】
システムであって、
１つまたは複数のプロセッサと、
該プロセッサに結合され、該プロセッサによって実行可能な命令を含むメモリと
を備え、該プロセッサが、該命令の実行時に、
Ｎ個の電子メディア・コンテンツ・アイテムにアクセスし、
複数の電子メディア・コンテンツ・テンプレートにアクセスし、ここで、該複数の電子メディア・コンテンツ・テンプレートのそれぞれが所定数のメディア・コンテンツ・アイテム用の所定数の表面領域を含んでおり、
１つまたは複数の特徴に基づいて、複数のメディア・コンテンツ・テンプレートのうちの１つまたは複数のメディア・コンテンツ・テンプレートのそれぞれについて、メディア・コンテンツ・テンプレートにおけるＸ個の電子メディア・コンテンツ・アイテムの配置を得点付けし、ここで、Ｘ個は、Ｎ個と、メディア・コンテンツ・テンプレートの表面領域の該所定数とのうち少ないほうに等しく、特徴は、
得点付けされる前記メディア・コンテンツ・テンプレートの２つ以上の表面領域の面積の差異、
得点付けされる前記メディア・コンテンツ・テンプレートと、得点付けされる前記メディア・コンテンツ・テンプレートの付近に表示される１つ以上の他のメディア・コンテンツ・テンプレートとの間の相違、
前記Ｘ個の電子メディア・コンテンツ・アイテムがアクセスされた順序、
メディア・コンテンツ・アイテムのユーザまたはプロバイダに対するメディア・コンテンツの少なくとも１つのインスタンスの重要性のうちの１つまたは複数を含み、
最高得点を有するメディア・コンテンツ・テンプレートを選択し、
ユーザに対して表示するために、選択されたメディア・コンテンツ・テンプレートに該Ｘ個の電子メディア・コンテンツ・アイテムを準備するように動作可能である、システム。
【請求項１６】
特徴は、メディア・コンテンツ・アイテムのユーザまたはプロバイダに対するメディア・コンテンツの少なくとも１つのインスタンスの重要性であり、
前記重要性が、ソーシャル・ネットワーキング・システムに関連する情報に、少なくとも部分的に基づいて決定され、該ソーシャル・ネットワーキング・システムが、複数のノードと該ノードを接続するエッジとを含むグラフを有し、少なくとも１つのノードが、前記メディア・コンテンツの前記ユーザまたは前記プロバイダと対応している、請求項１４に記載の媒体。
【請求項１７】
前記重要性が、
前記ソーシャル・ネットワーキング・システムに関連する情報を基に行われる係数決定、
前記ソーシャル・ネットワーキング・システムに関連する情報を基に行われる親和性決定
のうちの１つまたは複数に、少なくとも部分的に基づいて決定される、請求項１６に記載の媒体。
【請求項１８】
前記特徴のうちの少なくとも１つが、前記メディア・コンテンツ・テンプレートが表示されるコンテキストを含む、請求項１４に記載の媒体。
【請求項１９】
特徴は、メディア・コンテンツ・アイテムのユーザまたはプロバイダに対するメディア・コンテンツの少なくとも１つのインスタンスの重要性であり、
前記重要性が、ソーシャル・ネットワーキング・システムに関連する情報に、少なくとも部分的に基づいて決定され、該ソーシャル・ネットワーキング・システムが、複数のノードと該ノードを接続するエッジとを含むグラフを有し、少なくとも１つのノードが、前記メディア・コンテンツの前記ユーザまたは前記プロバイダと対応している、請求項１５に記載のシステム。
【請求項２０】
前記特徴のうちの少なくとも１つが、前記メディア・コンテンツ・テンプレートが表示されるコンテキストを含む、請求項１５に記載のシステム。